(57)【要約】【課題】　簡単な構成にして、スロットル弁装置の異常時において内燃エンジンを良好に制御可能に図った内燃エンジンの制御装置 を提供する。【解決手段】　内燃エンジンの加速操作部材の操作量情報（θTHT）とスロットル弁の開度（θTH）とに基づいてスロットル弁装置の異常を検出する異常検出手段(S10)と、スロットル弁装置に異常が検出されたときスロットル弁を閉方向に強制的に駆動する駆動手段(S12)と、上記異常が検出されたとき内燃エンジンの燃焼室に所定量の空気を導入可能な補助吸気手段(S14)と、上記異常が検出されたとき所定量の空気と加速操作部材の操作量（θTHT）とに応じて所定気筒の燃料カットを行う燃料制御手段(S16)とを備えるようにした。【選択図】　　　図３
2004138077.tif 000002
【特許請求の範囲】
【請求項１】
　複数の気筒の各燃焼室に燃料を直接噴射する燃料噴射弁をそれぞれ有し、運転状態に応じて吸気行程で燃料噴射を行う吸気行程噴射モードと圧縮行程で燃料噴射を行う圧縮行程噴射モードとを選択可能であって且つ希薄空燃比運転可能な内燃エンジンの制御装置であって、
　内燃エンジンの加速操作を行う加速操作部材の操作量を検出する加速操作量検出手段と、
　前記加速操作量検出手段の検出結果に基づき駆動されるモータ、及び、前記内燃エンジンの吸気管に配設され、前記モータにより開閉駆動されるスロットル弁を有するスロットル弁装置と、
　前記スロットル弁装置の異常を検出する異常検出手段と、
　前記異常検出手段により前記異常が検出されたとき、前記スロットル弁を閉方向に駆動する駆動手段と、
　前記異常検出手段により前記異常が検出されたとき、前記内燃エンジンの燃焼室に所定量の空気を導入可能な補助吸気手段と、
　前記異常検出手段により前記異常が検出されたとき、前記圧縮行程噴射モードに切り換えるモード切換手段と、
　前記異常検出手段により前記異常が検出されたとき、前記所定量の空気と前記加速操作量検出手段の検出結果とに応じて前記複数の気筒のうち所定気筒の燃料カットを行うことで出力トルクを制御する燃料制御手段と、
を備えたことを特徴とする内燃エンジンの制御装置。
【請求項２】
　複数の気筒の各燃焼室に燃料を直接噴射する燃料噴射弁をそれぞれ有し、運転状態に応じて吸気行程で燃料噴射を行う吸気行程噴射モードと圧縮行程で燃料噴射を行う圧縮行程噴射モードとを選択可能であって且つ希薄空燃比運転可能な内燃エンジンの制御装置であって、
　内燃エンジンの加速操作を行う加速操作部材の操作量を検出する加速操作量検出手段と、
　前記加速操作量検出手段の検出結果に基づき駆動されるモータ、及び、前記内燃エンジンの吸気管に配設され、前記モータにより開閉駆動されるスロットル弁を有するスロットル弁装置と、
　前記スロットル弁装置の異常を検出する異常検出手段と、
　前記異常検出手段により前記異常が検出されたとき、前記スロットル弁を閉方向に駆動する駆動手段と、
　前記異常検出手段により前記異常が検出されたとき、前記内燃エンジンの燃焼室に所定量の空気を導入可能な補助吸気手段と、
　前記異常検出手段により前記異常が検出されたとき、前記圧縮行程噴射モードに切り換えるモード切換手段と、
　前記異常検出手段により前記異常が検出されたとき、前記所定量の空気と前記加速操作量検出手段の検出結果とに応じて前記複数の気筒のうち所定気筒の燃料カットを行うとともに該燃料カットに応じて前記各燃焼室に供給する燃料噴射量を制御する燃料制御手段と、
を備えたことを特徴とする内燃エンジンの制御装置。
【請求項３】
　前記燃料制御手段は、前記所定気筒の燃料カットを行う際に、空燃比をリーンとして出力を低下させた後に燃料カットを行い、その後、燃料カットした気筒以外の気筒の空燃比を濃化させ、更にその後、空燃比を再度リーン化することを特徴とする請求項１または２記載の内燃エンジンの制御装置。
【請求項４】
　前記スロットル弁装置は前記スロットル弁の開度を検出するスロットル開度検出手段をさらに備え、
　前記異常検出手段は、前記加速操作量検出手段の検出結果と前記スロットル開度検出手段の検出結果との比較に基づいて前記異常を検出することを特徴とする、請求項１乃至３のいずれか記載の内燃エンジンの制御装置。
【請求項５】
　前記駆動手段は、前記モータへ供給される駆動電流を遮断する電流遮断手段と、前記電流遮断手段により前記駆動電流が遮断されたとき、前記スロットル弁を閉方向に付勢する付勢手段とを含んでなることを特徴とする、請求項１乃至４のいずれか記載の内燃エンジンの制御装置。
【請求項６】
　前記補助吸気手段は、前記スロットル弁装置に設けられ、前記スロットル弁をバイパスするバイパス通路を含み、前記スロットル弁が閉方向に駆動されたとき、前記バイパス通路を介して吸気を行うことを特徴とする、請求項１乃至５のいずれか記載の内燃エンジンの制御装置。
【請求項７】
　前記補助吸気手段は、前記スロットル弁の全閉位置を閉塞位置よりも所定量だけ開側に変更する全閉位置変更手段を含んでなることを特徴とする、請求項１乃至６のいずれか記載の内燃エンジンの制御装置。
【発明の詳細な説明】
【技術分野】
【０００１】
　本発明は、内燃エンジンの制御装置に係り、詳しくは、スロットル弁装置の異常時対応を考慮した内燃エンジンの制御装置に関する。
【背景技術】
【０００２】
　近年、車両に搭載されるガソリンエンジンにおいて、有害排出ガス成分の低減や燃費の向上等を図るため、希薄空燃比運転可能に設計された吸気管噴射型のエンジンや燃焼室に直接燃料を噴射する構成にしてやはり希薄空燃比運転可能に設計された筒内噴射型のエンジンが種々提案されている。
　ところで、このような希薄空燃比運転可能なガソリンエンジンでは、空燃比を希薄なものとするため、理論空燃比運転時よりも多くの吸気を必要とする。従って、従来は、スロットル弁をバイパスするバイパス通路を設けるようにしてこの吸気量増加分を補正するようにしていた。
【０００３】
　しかしながら、この方式では補正吸気量に限りがある。そこで、最近では、大径の吸気通路面積を有するとともにモータを用いて電気的にスロットル弁を開閉するようにし、このスロットル弁の開度調節によって上記吸気量増加分をも補正可能にした構成のスロットル弁装置（電子式吸入空気量制御弁装置）が開発され、実用化されている。
　ところが、このような電子式吸入空気量制御弁装置では、モータ等の電気部品を用いていることから、経時劣化等により断線やショートといった故障を発生する可能性がある。このような故障が発生すると、もはや電子式吸入空気量制御弁装置は正常に作動しなくなり、つまり作動異常となり、エンジンの運転状態を悪化させる虞がある。
【０００４】
　そこで、電子式吸入空気量制御弁装置に異常が発生したときにおいて、スロットル弁を閉じる一方でバイパス通路を介して一定量の吸気を行い、これによりエンジンの運転状態の悪化を防止して最小限の車両走行を可能にする構成のスロットルバルブ制御装置が開示されている。（特許文献１参照）
【特許文献１】実開平１−２２８３５号公報
【発明の開示】
【発明が解決しようとする課題】
【０００５】
　ところで、上記特許文献１には、電子式吸入空気量制御弁装置に異常が発生したときにバイパス通路を介して一定量の吸気を行うことが開示されているものの、この状況でエンジン制御を行うことに関しては何ら記載されていない。
　最近では、車両を高速道路等で高速走行させることが多く、このような高速走行状態で電子式吸入空気量制御弁装置に異常が発生したような場合等には、車両の走行安全性の点から車速を急激に低下させないようエンジン制御を行うことが望まれる。
【０００６】
　そこで、例えば、電子式吸入空気量制御弁装置に併せて従来のケーブル索を接続し、つまり、電子式吸入空気量制御弁装置に異常が発生したときに手動でスロットル弁の開閉を行えるようにし、これにより、電子式吸入空気量制御弁装置に異常が発生したときでも電子式吸入空気量制御弁装置が正常に作動しているときと同様にしてエンジンの出力トルク調節を可能にした構成の装置が開発されている。
【０００７】
　しかしながら、このように、ケーブル索を別途設けることは、電子式吸入空気量制御弁装置の構造を複雑なものとするとともにコストアップに繋がり好ましいことではない。
　本発明はこのような問題を解決するためになされたもので、その目的とするところは、簡単な構成にして、スロットル弁装置の異常時において内燃エンジンを良好に制御可能に図った内燃エンジンの制御装置を提供することにある。
【課題を解決するための手段】
【０００８】
　上記した目的を達成するために、請求項１の内燃エンジンの制御装置では、複数の気筒の各燃焼室に燃料を直接噴射する燃料噴射弁をそれぞれ有し、運転状態に応じて吸気行程で燃料噴射を行う吸気行程噴射モードと圧縮行程で燃料噴射を行う圧縮行程噴射モードとを選択可能であって且つ希薄空燃比運転可能な内燃エンジンの制御装置であって、内燃エンジンの加速操作を行う加速操作部材の操作量を検出する加速操作量検出手段と、前記加速操作量検出手段の検出結果に基づき駆動されるモータ、及び、前記内燃エンジンの吸気管に配設され、前記モータにより開閉駆動されるスロットル弁を有するスロットル弁装置と、前記スロットル弁装置の異常を検出する異常検出手段と、前記異常検出手段により前記異常が検出されたとき、前記スロットル弁を閉方向に駆動する駆動手段と、前記異常検出手段により前記異常が検出されたとき、前記内燃エンジンの燃焼室に所定量の空気を導入可能な補助吸気手段と、前記異常検出手段により前記異常が検出されたとき、前記圧縮行程噴射モードに切り換えるモード切換手段と、前記異常検出手段により前記異常が検出されたとき、前記所定量の空気と前記加速操作量検出手段の検出結果とに応じて前記複数の気筒のうち所定気筒の燃料カットを行うことで出力トルクを制御する燃料制御手段と、を備えたことを特徴としている。
【０００９】
　請求項２の内燃エンジンの制御装置では、複数の気筒の各燃焼室に燃料を直接噴射する燃料噴射弁をそれぞれ有し、運転状態に応じて吸気行程で燃料噴射を行う吸気行程噴射モードと圧縮行程で燃料噴射を行う圧縮行程噴射モードとを選択可能であって且つ希薄空燃比運転可能な内燃エンジンの制御装置であって、内燃エンジンの加速操作を行う加速操作部材の操作量を検出する加速操作量検出手段と、前記加速操作量検出手段の検出結果に基づき駆動されるモータ、及び、前記内燃エンジンの吸気管に配設され、前記モータにより開閉駆動されるスロットル弁を有するスロットル弁装置と、前記スロットル弁装置の異常を検出する異常検出手段と、前記異常検出手段により前記異常が検出されたとき、前記スロットル弁を閉方向に駆動する駆動手段と、前記異常検出手段により前記異常が検出されたとき、前記内燃エンジンの燃焼室に所定量の空気を導入可能な補助吸気手段と、前記異常検出手段により前記異常が検出されたとき、前記圧縮行程噴射モードに切り換えるモード切換手段と、前記異常検出手段により前記異常が検出されたとき、前記所定量の空気と前記加速操作量検出手段の検出結果とに応じて前記複数の気筒のうち所定気筒の燃料カットを行うとともに該燃料カットに応じて前記各燃焼室に供給する燃料噴射量を制御する燃料制御手段と、を備えたことを特徴としている。
【００１０】
　請求項３の内燃エンジンの制御装置では、前記燃料制御手段は、前記所定気筒の燃料カットを行う際に、空燃比をリーンとして出力を低下させた後に燃料カットを行い、その後、燃料カットした気筒以外の気筒の空燃比を濃化させ、更にその後、空燃比を再度リーン化することを特徴としている。
　請求項４の内燃エンジンの制御装置では、前記スロットル弁装置は前記スロットル弁の開度を検出するスロットル開度検出手段をさらに備え、前記異常検出手段は、前記加速操作量検出手段の検出結果と前記スロットル開度検出手段の検出結果との比較に基づいて前記異常を検出することを特徴としている。
【００１１】
　請求項５の内燃エンジンの制御装置では、前記駆動手段は、前記モータへ供給される駆動電流を遮断する電流遮断手段と、前記電流遮断手段により前記駆動電流が遮断されたとき、前記スロットル弁を閉方向に付勢する付勢手段とを含んでなることを特徴としている。
　請求項６の内燃エンジンの制御装置では、前記補助吸気手段は、前記スロットル弁装置に設けられ、前記スロットル弁をバイパスするバイパス通路を含み、前記スロットル弁が閉方向に駆動されたとき、前記バイパス通路を介して吸気を行うことを特徴としている。
【００１２】
　請求項７の内燃エンジンの制御装置では、前記補助吸気手段は、前記スロットル弁の全閉位置を閉塞位置よりも所定量だけ開側に変更する全閉位置変更手段を含んでなることを特徴としている。
【発明の効果】
【００１３】
　上記手段を用いる本発明の請求項１の内燃エンジンの制御装置によれば、筒内噴射型火花点火式内燃エンジンの制御装置において、モータ等に故障が生じ、異常検出手段によりスロットル弁装置に異常が検出されると、モータによらずに駆動手段によってスロットル弁を閉方向に駆動でき、また、補助吸気手段によって内燃エンジンの燃焼室に所定量の空気を導入でき、さらに、モード切換手段によって圧縮行程噴射モードに切り換え、所定量の空気と加速操作量検出手段の検出結果とに応じて一部の気筒の燃料カットを行うことでエンジンの出力トルクを調節することができる。
【００１４】
　従って、スロットル弁装置に異常が検出されたときには、略一定量の吸気を行うとともに加速操作部材の操作量に応じて燃料噴射量を好適に制御できることになるが、特に筒内噴射型火花点火式内燃エンジンでは、圧縮行程噴射モード領域で燃料噴射量と出力トルクとが略完全に比例関係にあるので、吸気量を略一定としても、圧縮行程噴射モードに切り換えて一部の気筒の燃料カットをすることで、内燃エンジンの出力トルクを広い調節域で容易に調節でき、内燃エンジンの運転状態を良好に維持することができる。これにより、内燃エンジンが車両に搭載されている場合にあっては、車両の走行安全性とともに比較的良好なドライバビリティを確保することができる。
【００１５】
　請求項２の内燃エンジンの制御装置によれば、筒内噴射型火花点火式内燃エンジンの制御装置において、モータ等に故障が生じ、異常検出手段によりスロットル弁装置に異常が検出されると、モータによらずに駆動手段によってスロットル弁を閉方向に駆動でき、また、補助吸気手段によって内燃エンジンの燃焼室に所定量の空気を導入でき、さらに、モード切換手段によって圧縮行程噴射モードに切り換え、所定量の空気と加速操作量検出手段の検出結果とに応じて一部の気筒の燃料カットを行うとともに燃料カットに応じて各燃焼室への燃料噴射量を制御することでエンジンの出力トルクの調節域を拡大することができる。
【００１６】
　従って、スロットル弁装置に異常が検出されたときには、略一定量の吸気を行うとともに加速操作部材の操作量に応じて燃料噴射量を好適に制御できることになるが、特に筒内噴射型火花点火式内燃エンジンでは、圧縮行程噴射モード領域で燃料噴射量と出力トルクとが略完全に比例関係にあるので、吸気量を略一定としても、圧縮行程噴射モードに切り換えて一部の気筒の燃料カットや燃料噴射量の増減制御を行うことで、内燃エンジンの出力トルクを広い調節域で容易にして適正に調節でき、内燃エンジンの運転状態を良好に維持することができる。これにより、内燃エンジンが車両に搭載されている場合にあっては、車両の走行安全性とともに比較的良好なドライバビリティを確保することができる。
【００１７】
　請求項３の内燃エンジンの制御装置によれば、燃料制御手段として燃料カットを行う場合であっても、空燃比を適宜調整することにより出力トルクを徐々に滑らかに変化させて出力トルク調節を良好に行うことができる。
　請求項４の内燃エンジンの制御装置によれば、加速操作量検出手段の検出結果とスロットル開度検出手段の検出結果との比較に基づいて、スロットル弁装置の異常を容易に検出することができる。
【００１８】
　請求項５の内燃エンジンの制御装置によれば、スロットル弁装置の異常が検出されたときには、電流遮断手段によってモータへ供給される駆動電流を遮断してモータ力を解放でき、そして付勢手段によってスロットル弁を閉方向に容易にして良好に駆動することができる。
　請求項６の内燃エンジンの制御装置によれば、スロットル弁装置に異常が検出され、スロットル弁が閉方向に駆動されたときには、バイパス通路を介して吸気を行うことができる。従って、スロットル弁装置に異常が検出されたときにおいて、スロットル弁を閉弁状態とする一方で常に一定量の吸気を確保でき、内燃エンジンの運転状態を良好に維持することができる。
【００１９】
　請求項７の内燃エンジンの制御装置によれば、スロットル弁装置に異常が検出されたときには、スロットル弁を僅かに開弁した状態に保持することができる。従って、スロットル弁を利用した簡単な構成にして、スロットル弁装置に異常が検出されたときにおいて、常に一定量の吸気を確保でき、内燃エンジンの運転状態を良好に維持することができる。
【発明を実施するための最良の形態】
【００２０】
　以下、図面を参照して、本発明の一実施形態を詳細に説明する。
　図１は、車両に搭載された本発明に係る内燃エンジンの制御装置の一実施形態を示す概略構成図である。以下、同図に基づき、内燃エンジンの制御装置の構成について説明する。
　エンジン１としては、吸気行程での燃料噴射（前期噴射モード）とともに圧縮行程での燃料噴射（後期噴射モード）を実施可能であって、且つ希薄空燃比、即ちリーン空燃比での燃焼が可能な、筒内噴射型直列４気筒ガソリンエンジンが適用される。この筒内噴射型のエンジン１では、燃焼室を始め吸気装置や排ガス再循環（ＥＧＲ）を行うＥＧＲ装置（排ガス再循環装置）等が筒内噴射専用に設計されており、また、容易にしてリッチ空燃比、理論空燃比（ストイキオ）ＡＦS（ＡＦS＝１４．７）、リーン空燃比（希薄空燃比）での運転が実現可能とされている。
【００２１】
　エンジン１のシリンダヘッド２には、各気筒毎に点火プラグ３とともに電磁式の燃料噴射弁４も取り付けられており、燃焼室５内に燃料が直接噴射されるようにされている。また、シリンダ６に上下摺動自在に保持されたピストン７の頂面には、圧縮行程後期に燃料噴射弁４からの燃料噴霧が到達する位置に、半球状の窪み、即ちキャビティ８が形成されている。また、このエンジン１の圧縮比は、吸気管噴射型のものに比べ高く（例えば、１２程度）設定されている。動弁機構としてはＤＯＨＣ４弁式が採用されており、シリンダヘッド２の上部には、吸排気弁９，１０をそれぞれ駆動すべく、吸気側カムシャフト１１と排気側カムシャフト１２とが回転自在に支持されている。
【００２２】
　シリンダヘッド２には、両カムシャフト１１，１２の間を抜けるようにして、略直立方向に吸気ポート１３が形成されており、この吸気ポート１３を通過した吸気流は燃焼室５内において、通常のタンブル流とは逆方向のタンブル流である逆タンブル流を発生可能とされている。一方、排気ポート１４については、通常のエンジンと同様に略水平方向に形成されているが、斜め下方に向け大径の排ガス再循環ポート、即ちＥＧＲポート１５が分岐している。
【００２３】
　図中、符号１６は冷却水温Ｔwを検出する水温センサである。また、符号１７は各気筒の所定のクランク位置（例えば、５°BTDCおよび７５°BTDC）でクランク角信号ＳGTを出力するベーン型のクランク角センサであり、このクランク角センサ１７はクランク角信号ＳGTに基づきエンジン回転速度Ｎeを検出可能とされている。符号１９は点火プラグ３に高電圧を出力する点火コイルである。なお、クランクシャフトの半分の回転数で回転するカムシャフトには、気筒判別信号ＳGCを出力する気筒判別センサ（図示せず）が設けられており、これにより、上記クランク角信号ＳGTがどの気筒のものか判別可能とされている。
【００２４】
　吸気ポート１３には、サージタンク２０を有する吸気マニホールド２１を介して、電子式吸入空気量制御弁装置、即ち、ドライブバイワイヤ型のスロットルボディ（スロットル弁装置であって、以下、ＤＢＷ−Ｔ／Ｂと略す）２３、エアフローセンサ３２及びエアクリーナ２２を備えた吸気管２５が接続されている。
　ＤＢＷ−Ｔ／Ｂ２３には、ステッパモータ２４によって駆動されて流路を開閉するバタフライ式のスロットルバルブ（スロットル弁）２８とともに、スロットルバルブ２８の開度、即ちスロットル開度θTHを検出するスロットルポジションセンサ（スロットル開度検出手段であって、以下、ＴＰＳという）２９と、スロットルバルブ２８の略全閉状態を検出してエンジン１のアイドリング状態を認識するアイドルスイッチ３０等が備えられている。なお、実際には、ＴＰＳ２９からは、スロットル開度に応じたスロットル電圧ＥTPSが出力され、このスロットル電圧ＥTPSに基づいてスロットル開度θTHが認識される。
【００２５】
　なお、ＤＢＷ−Ｔ／Ｂ２３は、筒内噴射型のエンジン１が後期リーンモードの特に超リーン空燃比での燃焼時に大量の吸気を必要とすることから、その最大流路面積は通常のスロットルボディに比べて大きなものとされている。
　吸気管２５には、ＤＢＷ−Ｔ／Ｂ２３をバイパスして吸気マニホールド２１に吸気可能なリンプホームパイプ（補助吸気手段、バイパス通路）２６が併設されており、その管路にはリニアソレノイド式のリンプホームバルブ２７が設けられている。
【００２６】
　このリンプホームバルブ２７は、詳しくは後述するが、ＤＢＷ−Ｔ／Ｂ２３の故障等の異常時において開弁するような構成とされている。つまり、ＤＢＷ−Ｔ／Ｂ２３の異常時において、スロットルバルブ２８が閉弁されたときでも、リンプホームバルブ２７が開弁することで、リンプホームパイプ２６を介して一定流量（所定量）の吸気が可能とされている。
【００２７】
　上記エアフローセンサ３２は、吸入空気量Ｑaを検出するものであって、例えば、カルマン渦式フローセンサが使用される。なお、吸入空気量Ｑaは、サージタンク２０にブースト圧センサを取付け、このブースト圧センサにより検出される吸気管圧力から求めるようにしてもよい。
　一方、排気ポート１４には、Ｏ2センサ４０が取り付けられた排気マニホールド４１を介して、三元触媒４２や図示しないマフラー等を備えた排気管４３が接続されている。また、上述のＥＧＲポート１５は、大径のＥＧＲパイプ４４を介して、吸気マニホールド２１の上流に接続されており、その管路にはステッパモータ式のＥＧＲバルブ４５が設けられている。
【００２８】
　燃料タンク５０は、車両の図示しない車体後部に設置されている。燃料タンク５０に貯留された燃料は、電動式の低圧燃料ポンプ５１に吸い上げられ、低圧フィードパイプ５２を介してエンジン１側に送給される。低圧フィードパイプ５２内の燃圧は、リターンパイプ５３の管路に介装された第１燃圧レギュレータ５４により、比較的低圧（低燃圧）に調圧される。エンジン１側に送給された燃料は、シリンダヘッド２に取り付けられた高圧燃料ポンプ５５により、高圧フィードパイプ５６とデリバリパイプ５７とを介して、各燃料噴射弁４に送給される。
【００２９】
　高圧燃料ポンプ５５は、例えば斜板アキシャルピストン式であり、排気側カムシャフト１２または吸気側カムシャフト１１により駆動され、エンジン１のアイドル運転時においても５ＭＰa〜７ＭＰa以上の吐出圧を発生可能とされている。そして、デリバリパイプ５７内の燃圧は、リターンパイプ５８の管路に介装された第２燃圧レギュレータ５９により、比較的高圧（高燃圧）に調圧される。
【００３０】
　図中、符号６０は第２燃圧レギュレータ５９に取り付けられた電磁式の燃圧切換弁である。この燃圧切換弁６０は、オン状態で燃料をリリーフし、これによりデリバリパイプ５７内の燃圧を低燃圧に低下させることが可能である。また、符号６１は高圧燃料ポンプ５５の潤滑や冷却等に利用された一部の燃料を燃料タンク５０に還流させるリターンパイプである。
【００３１】
　車両の車室内には、入出力装置、制御プログラムや制御マップ等の記憶に供される記憶装置（ＲＯＭ，ＲＡＭ，ＢＵＲＡＭ等）、中央処理装置（ＣＰＵ）、タイマカウンタ等を備えたＥＣＵ（電子制御ユニット）７０が設置されており、このＥＣＵ７０によって、エンジン１の総合的な制御が実施される。
　ＥＣＵ７０には、上記各種センサ類以外に、さらに、アクセルペダル７４に接続され、アクセル開度に応じたアクセル電圧ＥAPSを出力するアクセルポジショニングセンサ（加速操作量検出手段であって、以下、ＡＰＳと略す）７２が接続されており、これらセンサ類等からの情報が入力する。実際には、ＡＰＳ７２からアクセル電圧ＥAPSが出力されると、このアクセル電圧ＥAPSに基づいてアクセル開度θACCが認識される。
【００３２】
　そして、ＥＣＵ７０は、これらの検出情報に基づき、燃料噴射モードを始めとして、燃料噴射量、点火時期、ＥＧＲガスの導入量等を決定し、燃料噴射弁４や点火コイル１９、ＥＧＲバルブ４５の他、ステッパモータ２４やリンプホームバルブ２７等を駆動制御する。なお、ＥＣＵ７０の入力側には、説明を省略するが、上記各種センサ類の他、図示しない多数のスイッチやセンサ類が接続されており、一方、出力側には警告灯７６や図示しない各種機器類等も接続されている。なお、ＥＣＵ７０は、バッテリ８０からの電力供給を受けて作動する。
【００３３】
　以下、上記のように構成されたエンジン１の基本的な燃焼制御内容についてここで簡単に説明しておく。
　エンジン１が冷機状態にあるときには、運転者がイグニッションキーをオン操作すると、ＥＣＵ７０は、低圧燃料ポンプ５１とレギュレータバイパスバルブ６０をオンにして、燃料噴射弁４に低燃圧の燃料を供給する。
【００３４】
　そして、運転者がイグニッションキーをスタート操作すると、図示しないセルモータによりエンジン１がクランキングされ、同時にＥＣＵ７０により燃焼制御が開始される。この時点では、ＥＣＵ７０は、前期噴射モード（即ち、吸気行程噴射モード）を選択し、比較的リッチな空燃比となるように燃料を噴射する。
　エンジン１の始動が完了し、エンジン１がアイドル運転を開始すると、高圧燃料ポンプ５５が定格の吐出作動を始めることになり、ＥＣＵ７０は、レギュレータバイパスバルブ６０をオフにして燃料噴射弁４に高圧の燃料を供給する。この際、要求される燃料噴射量は、高圧燃料ポンプ５５の吐出圧と燃料噴射弁４の開弁時間、即ち燃料噴射時間とから得られる。
【００３５】
　そして、冷却水温Ｔwが所定値に上昇するまでは、ＥＣＵ７０は、始動時と同様に前期噴射モードを選択してリッチ空燃比となるよう燃料を噴射する。
　エンジン１が暖機状態になると、ＥＣＵ７０は、ＡＰＳ７２からのアクセル電圧ＥAPSに基づくアクセル開度情報θACCとクランク角センサ１７からのエンジン回転速度情報Ｎeとに基づき、目標出力に対応する目標平均有効圧Ｐeを演算する。実際には、アクセル開度情報θACCとエンジン回転速度Ｎeとの関係を示すマップが予め設定されており、目標平均有効圧Ｐeは、このマップから読取られる。また、同時にエアフローセンサ３２からの吸入空気量情報Ｑaに基づき、体積効率Ｅvを演算する。
【００３６】
　このように、目標平均有効圧Ｐeと体積効率Ｅvとが求められると、燃料噴射モードが後期噴射モードである場合には、目標平均有効圧Ｐeに基づいて目標Ａ／Ｆ、噴射終了時期Ｔend、点火時期Ｔig、ＥＧＲ量Ｌegrの各燃焼パラメータが設定される。一方、前期噴射モードである場合には、体積効率Ｅvに基づいて各種燃焼パラメータは設定される。ここに、前期噴射モードとしては前期リーンモード、ストイキオフィードバックモード（以下、Ｓ−Ｆ／Ｂモードという）、オープンループモード（以下、Ｏ／Ｌモードという）があり、後期噴射モードとしては後期リーンモードがある。そして、これらの燃料噴射モードは、燃料噴射モードの設定マップ（図示せず）に基づいてエンジン回転速度Ｎeと目標平均有効圧Ｐe或いは体積効率Ｅvとに応じて切換えられるようにされているが、ここではその切換えについての詳細な説明は省略する。
【００３７】
　このようにして、目標Ａ／Ｆ、燃料の噴射終了時期Ｔend、点火時期Ｔig、ＥＧＲ量Ｌegr等が設定されると、目標Ａ／Ｆに基づいて燃料噴射時間Ｔinjが設定され、燃料噴射量が決定される。そして、燃料噴射時間Ｔinjに対応する信号が燃料噴射弁４に供給され、燃料噴射時間Ｔinjに応じた量の燃料が燃料噴射弁４から噴射される。このとき、燃料の噴射終了時期Ｔendに対応する信号も同時に燃料噴射弁４に供給され、これにより燃料の噴射時期が確定される。
【００３８】
　また、点火時期Ｔig信号が点火コイル１９に供給され、ＥＧＲ量Ｌegr信号がＥＧＲバルブ４５に供給され、最適な燃焼制御が実施されることになる。
　従って、例えば、アイドル運転時や低速走行時のようにエンジン１が低負荷域にあるときには、燃料噴射モードは後期リーンモードとされ、圧縮行程において燃料噴射が実施されるとともに、目標平均有効圧Ｐeに基づくリーンな目標Ａ／Ｆ（例えば、Ａ／Ｆ＝３０〜４０程度）となるよう燃料噴射量が決定され、やはり目標平均有効圧Ｐeに基づいて点火時期Ｔig、ＥＧＲ量Ｌegrが設定されて、良好な燃焼制御が行われる。
【００３９】
　なお、後期リーンモードでの燃焼についてより詳しく説明すると、この筒内噴射型のエンジン１では、前述したように、ピストン７の上面にキャビティ８が形成されている。このことから、吸気ポート１３から流入した吸気流がキャビティ８に沿い上記逆タンブル流を形成するため、燃料噴射弁４から噴射された燃料と吸入空気との混合気、即ち燃料噴霧は、点火プラグ３近傍に良好に集約される。その結果、点火時点において点火プラグ３の周囲には理論空燃比ＡＦSに近い混合気が常に層状に形成されることになる。従って、この後期噴射モードにおいては、全体としてリーン空燃比であっても良好な着火性が確保されるのである。
【００４０】
　また、例えば、定速走行時のようにエンジン１が中負荷域にあるときには、燃料噴射モードは前期リーンモード或いはＳ−Ｆ／Ｂモードとされる。前期リーンモードの場合、燃料噴射が吸気行程で実施されるとともに、体積効率Ｅvに基づく比較的リーンな目標Ａ／Ｆ（例えば、Ａ／Ｆ＝２０〜２３程度）となるよう燃料噴射量が決定され、やはり体積効率Ｅvに基づいて点火時期Ｔig、ＥＧＲ量Ｌegrが設定されて、良好な燃焼制御が行われる。
【００４１】
　一方、Ｓ−Ｆ／Ｂモードでは、燃料噴射はやはり吸気行程で行われ、体積効率Ｅvに基づいて点火時期Ｔig、ＥＧＲ量Ｌegrが設定されることになるが、この場合には、Ｏ2センサ４０の出力電圧に応じて空燃比フィードバック制御が行われることになり、目標Ａ／Ｆに関しては、理論空燃比ＡＦSとなるよう制御される。
　ところで、図２を参照すると、上記ＤＢＷ−Ｔ／Ｂ２３、リンプホームパイプ２６、リンプホームバルブ２７及びＥＣＵ７０、即ち、本発明に係る制御装置の構成がより詳しく示されており、以下、同図を参照して、本発明に係る制御装置のより詳細な構成について説明する。なお、ここでは、既に上述したものについては説明を省略する。
【００４２】
　先ず、ＤＢＷ−Ｔ／Ｂ２３について説明すると、ステッパモータ２４には、ギヤユニット２４ａを介してスロットルバルブ軸２８ａが接続されており、上記スロットルバルブ２８はこのスロットルバルブ軸２８ａに中央で結合されている。従って、スロットルバルブ２８は、ステッパモータ２４の回転に応じて、スロットルバルブ軸２８ａの軸線周りにスロットルバルブ軸２８ａとともに回動可能とされている。また、スロットルバルブ２８を挟んでギヤユニット２４ａと反対側のスロットルバルブ軸２８ａ周りにはコイルスプリング（駆動手段、付勢手段）２８ｂが設けられている。このコイルスプリング２８ｂは、ステッパモータ２４に駆動信号が供給されないときに、スロットルバルブ２８を閉弁側に付勢する働きをしている。また、図中符号２８ｃは、スロットルバルブ２８が閉弁側に作動したときのスロットルバルブ２８の回動ストッパであり、このストッパ２８ｃには、ショックを軽減するための緩衝部材（コイルスプリング等）が設けられている。
【００４３】
　一方、ＥＣＵ７０には、上記のようにエンジン１の主制御を行うエンジン制御部７０ａの他、ＤＢＷ−Ｔ／Ｂ２３の作動制御を行うＤＢＷ制御部７０ｂ及びＤＢＷ制御部７０ｂへの電源供給の断接を行うＤＢＷ電源リレー７０ｃとが含まれている。なお、エンジン制御部７０ａとＤＢＷ制御部７０ｂ間では、互いに信号のやりとりが自在とされている。
　同図に示すように、エンジン制御部７０ａとＤＢＷ制御部７０ｂとは、ともにバッテリ８０からの電源供給を受けて作動するが、ＤＢＷ制御部７０ｂへの電源供給は、ＤＢＷ電源リレー７０ｃを介して行われるようにされている。
【００４４】
　エンジン制御部７０ａの入力側には、ＴＰＳ２９やＡＰＳ７２の他各種センサ類が接続されている。一方、出力側には、リンプホームバルブ２７、各種駆動部や警告灯７６の他、上記ＤＢＷ電源リレー７０ｃも接続されている。
　このエンジン制御部７０ａでは、図中に示すように、ＡＰＳ７２及びクランク角センサ１７からの入力信号に基づき、目標スロットル開度θTHTの算出が行われるとともに、上述したように、各種センサ類からの入力信号に基づいて燃料噴射弁４、点火コイル１９、ＥＧＲバルブ４５等の各種駆動部の制御並びに上記目標スロットル開度θTHTの補正が行われる。さらには、やはり図中に示すように、ＤＢＷ−Ｔ／Ｂ２３の異常処理制御が行われる。このＤＢＷ−Ｔ／Ｂ２３の異常処理制御（ＤＢＷ異常処理制御）は、後述のＤＢＷ制御部７０ｂでのＤＢＷ異常検出に基づいて実施されるものであり、詳しくは後述する。
【００４５】
　ＤＢＷ制御部７０ｂの入力側には、上記同様にＴＰＳ２９やＡＰＳ７２の他各種センサ類が接続され、一方、出力側には、ステッパモータ２４が接続されている。
　このＤＢＷ制御部７０ｂでは、上記エンジン制御部７０ａで算出された目標スロットル開度θTHTとＴＰＳ２９からのスロットル開度情報θTHに基づき、スロットル開度フィードバック制御（スロットル開度Ｆ／Ｂ制御）が行われてステッパモータ２４が駆動制御される他、上述したようにＤＢＷ−Ｔ／Ｂ２３の異常検出が行われる。
【００４６】
　ここで、図３を参照すると、本発明に係るＤＢＷ異常処理制御ルーチンのフローチャートが示されており、以下、上記図２と図３とに基づき、ＤＢＷ異常処理の制御手順について説明する。
　図３のステップＳ１０では、目標スロットル開度θTHTとＴＰＳ２９から出力されるスロットル開度情報θTHとの差の絶対値が所定値Ｘ1より大きい（｜θTHT−θTH｜＞Ｘ1）か否かを判別する。この判別は、即ち、ＤＢＷ−Ｔ／Ｂ２３に異常があるか否かの判別である。つまり、ＤＢＷ−Ｔ／Ｂ２３のステッパモータ２４やＴＰＳ２９が断線やショート等により異常作動しているか否かを判別している（異常検出手段）。
【００４７】
　通常、ＤＢＷ−Ｔ／Ｂ２３のステッパモータ２４やＴＰＳ２９が正常に作動していれば、ＡＰＳ７２からの出力信号に基づく上記目標スロットル開度θTHTに応じてステッパモータ２４が作動しスロットルバルブ２８が開閉作動すると、ＴＰＳ２９からの出力信号、つまりスロットル開度θTHは、上記目標スロットル開度θTHTに応じたものとなるはずである。
【００４８】
　しかしながら、ステッパモータ２４やＴＰＳ２９に断線やショート等の故障が起こり、ＤＢＷ−Ｔ／Ｂ２３に異常が発生すると、スロットル開度θTHと目標スロットル開度θTHTとの差の絶対値はもはや所定値Ｘ1ではなくなる。従って、このステップＳ１０では、このスロットル開度θTHと目標スロットル開度θTHTとの差を監視するようにし、これによりステッパモータ２４やＴＰＳ２９の異常、即ちＤＢＷ−Ｔ／Ｂ２３の異常を判別するようにしている。
【００４９】
　ステップＳ１０の判別結果が真（Ｙｅｓ）で、スロットル開度θTHと目標スロットル開度θTHTとの差の絶対値が所定値Ｘ1より大きい（｜θTHT−θTH｜＞Ｘ1）場合には、ＤＢＷ−Ｔ／Ｂ２３に異常があると判定でき、この場合には、次にステップＳ１２に進む。
　ステップＳ１２では、通常エンジン１の運転時においてエンジン制御部７０ａからＤＢＷ電源リレー７０ｃに供給している信号を断ち、ＤＢＷ電源リレー７０ｃをオフ状態とする。従って、バッテリ８０からＤＢＷ制御部７０ｂへの電源供給が遮断されてＤＢＷ制御部７０ｂによる一切の制御が停止される。
【００５０】
　これにより、ＤＢＷ制御部７０ｂからステッパモータ２４への駆動信号の供給が停止され、ステッパモータ２４は非通電状態となる（電流遮断手段）。このようにステッパモータ２４が非通電状態となると、コイルスプリング２８ｂの付勢力によってスロットルバルブ２８が閉弁側に付勢されることになり、故に、スロットルバルブ２８は閉状態とされる。
【００５１】
　即ち、ＤＢＷ−Ｔ／Ｂ２３に異常があるような場合、つまり、スロットルバルブ２８が正常に作動しないような状況にあっては、エンジン１の運転状態が悪化するばかりでなく車両の走行状態が不安定なものとなる可能性があるのであるが、このようにスロットルバルブ２８が閉弁状態、即ち原位置に戻されることで、そのような不具合が良好に防止されることになるのである。
【００５２】
　しかしながら、スロットルバルブ２８が閉弁状態とされると、吸気が殆ど行われなくなり、つまり、エンジン１の運転が略停止されることになる。このように、エンジン１の運転が略停止状態とされると、車両が走行中の場合にあっては、車両の走行状態が急変することになり好ましいことではない。
　そこで、次のステップＳ１４において、リンプホームバルブ２７を開弁し、スロットルバルブ２８が閉弁状態とされたと略同時にリンプホームパイプ２６を介して吸気が行われるようにする。これにより、ＤＢＷ−Ｔ／Ｂ２３に異常がある場合には、リンプホームパイプ２６を介してあまり多くはないが一定量の吸気が行われることになる。つまり、走行中にＤＢＷ−Ｔ／Ｂ２３に異常が発生したような場合であっても、必要最小限の所定車速Ｖ1での走行が可能なようにされているのである。この車速Ｖ1としては、高速道路での走行をも考慮して、例えば、Ｖ1＝８０〜１２０km/hとされている。即ち、リンプホームパイプ２６は、少なくともこの車速Ｖ1（Ｖ1＝８０〜１２０km/h）を確保可能なように流路面積が設定されている。
【００５３】
　ところで、リンプホームパイプ２６を介して吸気が行われることになると、吸入空気量Ｑaが一定量に制限されることになるため、これに応じて燃料噴射量を設定する必要があり、これにより適正なエンジン１の出力トルクを得るようにしている。しかしながら、車両の走行安全性を向上させる上では、さらに、通常の走行時と同様にして出力トルクの可変制御ができるのが望ましい。
【００５４】
　この点に関し、筒内噴射型のエンジン１では、燃料噴射モードが後期リーンモードのときに燃料噴射量を決定する目標Ａ／Ｆが目標平均有効圧Ｐeに基づいて設定されることからも明らかであるが、吸入空気量Ｑaが一定のときには、エンジン１の出力トルクは、図４に示すように燃料噴射量に良好に比例することが知られている。この関係は、燃料噴射モードが後期リーンモードの場合に限られず、前期リーンモードの場合にも良好に適用される。
【００５５】
　つまり、筒内噴射型のエンジン１にあっては、後期噴射モードの場合には、燃料が常に点火プラグ３の周りに集められて着火され燃焼するために、燃料噴射量に応じて出力トルクを変化させることが可能であり、また、燃料噴射量を減らして前期リーンモードの場合に比べて空燃比をリーン化させてもエンジン回転変動が生じにくく、ドライバビリティを悪化させることがなく、一方、エンジン１が前期リーンモードでリーン燃焼しているときにおいても、燃焼室５内の層状流の作用によって燃料が常に点火プラグ３の周りに集められるために、やはり同様にして燃料噴射量に応じて出力トルクを変化させることが可能とされるのである。
【００５６】
　従って、筒内噴射型のエンジン１では、次のステップＳ１５において、例えば、車速Ｖに応じて強制的に燃料噴射モードを後期リーンモードまたは前期リーンモードに設定する（モード切換手段）。そして、次のステップＳ１６において、目標スロットル開度θTHT、即ち、運転者のアクセルペダル７４の踏込量に基づくＡＰＳ７２の出力に応じて燃料噴射量を算出し、この燃料噴射量に基づいて燃料調節を行うようにしている。具体的には空燃比制御を行うようにしている。これにより、ＤＢＷ−Ｔ／Ｂ２３の異常によりスロットルバルブ２８を作動停止した場合にあっても、運転者のアクセルペダル７４操作に応じて出力トルクが良好に調節可能とされ、ＤＢＷ−Ｔ／Ｂ２３異常時の車両の走行安全性が確保される。
【００５７】
　詳しくは、ここでは、出力トルクを調節することを目的とし、燃料噴射を行う気筒を選択して燃料噴射量を調節するようにしている。つまり一部の気筒（所定気筒）の燃料カットを行うことでエンジン１の出力トルクを調節する。従って、当該ステップＳ１６では、燃料カット気筒の設定を行う（燃料制御手段）。
　そして、燃料カットによって出力トルク調節を行う場合には、出力トルクは階段状に変化し、トルクショックが発生する虞があるため、燃料カットを行う気筒に応じて燃料噴射弁４から噴射する燃料噴射量の調節を行うようにし、出力トルクを徐々に変化させるようにする（燃料制御手段）。具体的には、空燃比をリーンとして出力を低下させた後に燃料カットを行い、このとき、燃料カットした気筒以外の気筒の空燃比を濃化させる。これにより、燃料カットを行ったときには出力トルクが急激に低下するのであるが、このような出力トルクの急激な低下が好適に防止される。そして、その後、空燃比を再度リーン化して上記燃料噴射量の調節による燃料制御を繰り返すようにする。これにより、燃料調節を燃料カットで行う場合であっても、出力トルクを徐々に滑らかに変化させて出力トルク調節を良好に行うことができることになる。
【００５８】
　そして、ステップＳ１８では、ＤＢＷ−Ｔ／Ｂ２３に異常があって上記一連の処理を行っていることを運転者に知らせるため、警告灯７６を点灯させる。
　ところで、上記ステップＳ１０の判別結果が偽（Ｎｏ）で、スロットル開度θTHと目標スロットル開度θTHTとの差の絶対値が所定値Ｘ1以下（｜θTHT−θTH｜≦Ｘ1）の場合には、ＤＢＷ−Ｔ／Ｂ２３は正常と判定でき、この場合には、次にステップＳ２０に進み、通常のＤＢＷ制御を行う。つまり、この場合には、上述したようにして燃焼制御が適正に行われ、ＤＢＷ制御部７０ｂによって良好にステッパモータ２４が制御される。
【００５９】
　以上、詳細に説明したように、本発明の内燃エンジンの制御装置によれば、電子式吸入空気量制御弁装置、即ちドライブバイワイヤ型のスロットルボディ（ＤＢＷ−Ｔ／Ｂ）２３を有しており、このＤＢＷ−Ｔ／Ｂ２３に異常が発生したような場合には、スロットルバルブ２８を閉弁状態とするとともにリンプホームバルブ２７を開弁し、これによりリンプホームパイプ２６を介しＤＢＷ−Ｔ／Ｂ２３をバイパスするようにして一定量の吸気を行うようにしている。
【００６０】
　従って、ステッパモータ２４やＴＰＳ２９等に故障が発生し、ＤＢＷ−Ｔ／Ｂ２３が異常状態になったことが確認されたときには、スロットルバルブ２８を閉弁してエンジン１の運転状態の悪化を防止できるとともに、リンプホームパイプ２６を介して一定量の吸気を行うことで、通常運転時よりもエンジン１の出力トルクは制限されるものの、安定したエンジン１の運転状態を維持することができる。
【００６１】
　さらに、本発明の内燃エンジンの制御装置によれば、エンジン１が筒内噴射型であって且つリーン空燃比運転可能な内燃エンジンであるため、燃料噴射モードを後期リーンモードまたは前期リーンモードに設定することで、一定量の吸気のもとに、アクセルペダル７４の踏込量に応じて一部の気筒の燃料カットとともに燃料噴射量の調節を行って出力トルクを良好に調節でき、故に、車両の走行中においてＤＢＷ−Ｔ／Ｂ２３が異常状態となっても、車両の走行状態を通常の走行状態のときと同様にして好適に可変制御することができる。これにより、従来のようにアクセル索を別途設けることなく、ＤＢＷ−Ｔ／Ｂ２３の異常時において、走行安全性とともに比較的良好なドライバビリティを確保することが可能とされる。
【００６２】
　なお、上記実施形態では、エンジン１を筒内噴射型のリーン空燃比運転可能な内燃エンジンとしたが、通常の吸気管噴射型の内燃エンジンに適用することも可能である。この場合、内燃エンジンが吸気管噴射型でありながらリーン空燃比運転可能に設計されていれば、混合気の層状化によって燃料を点火プラグ近傍に好適に集めることができるため、上記同様に燃料調節を実施して出力トルク調節を行うことができる。一方、リーン空燃比運転可能に設計されていない内燃エンジンのように、燃焼可能な空燃比が理論空燃比ＡＦS近傍のみと狭く、出力トルク調節を燃料噴射量の調節で行うことが困難である場合であっても、燃料カットによって出力トルク調節を行うようにできる。
【００６３】
　また、上記実施形態では、ＤＢＷ−Ｔ／Ｂ２３の異常時には、リンプホームパイプ２６とリンプホームバルブ２７とを用いてＤＢＷ−Ｔ／Ｂ２３をバイパスするようにして一定量の吸気を行うようにしたが、これに限られず、例えば、上記ストッパ２８ｃ（図２参照）に電磁式のアクチュエータを連結し、ＤＢＷ−Ｔ／Ｂ２３の異常が検出されたときにこの電磁式のアクチュエータにＥＣＵ７０から駆動信号を供給してストッパ２８ｃを突出させるような構成にしてもよい（全閉位置変更手段）。これにより、ステッパモータ２４への信号供給が停止されたときでもスロットルバルブ２８を閉塞させることなく僅かに開弁させた状態に保持でき、上記リンプホームパイプ２６を介して吸気したときの吸気量と略同量の吸気が可能とされる。故に、上記実施形態同様の効果が得られる。
【００６４】
　また、上記実施形態では、ＤＢＷ−Ｔ／Ｂ２３、即ちステッパモータ２４、ＴＰＳ２９等に異常が発生したときにのみ警告灯７６を点灯させるようにしたが、これに加え、例えば、ＥＣＵ７０にリンプホームバルブ２７の断線やショートによる異常の検出機能を持たせ、このリンプホームバルブ２７の異常が検出されたときに警告灯７６を点灯させるようにしてもよい。これにより、リンプホームバルブ２７を常に作動可能な状態に維持しておくことが可能とされる。
【００６５】
　また、上記実施形態では、ＡＰＳ７２を一個のみ用いるようにしたが、検出精度の安定性を考慮して複数設けるようにするのがよい。
【図面の簡単な説明】
【００６６】
【図１】本発明の制御装置を含む筒内噴射型火花点火式内燃エンジンを示す概略構成図である。
【図２】本発明の制御装置を示す概略構成図である。
【図３】電子式吸入空気量制御弁装置（ＤＢＷ−Ｔ／Ｂ）の異常時における異常処理制御ルーチンを示すフローチャートである。
【図４】筒内噴射型火花点火式内燃エンジンにおける燃料噴射量と出力トルクとの関係を示すグラフである。
【符号の説明】
【００６７】
　　１　エンジン（筒内噴射型火花点火式内燃エンジン）
　　４　燃料噴射弁
　２３　ＤＢＷ−Ｔ／Ｂ（スロットル弁装置）
　２４　ステッパモータ
　２６　リンプホームパイプ（補助吸気手段、バイパス通路）
　２７　リンプホームバルブ
　２８　スロットルバルブ（スロットル弁）
　２８ａ　コイルスプリング（駆動手段、付勢手段）
　２８ｃ　ストッパ
　２９　ＴＰＳ（スロットル開度検出手段）
　７０　電子制御ユニット（ＥＣＵ）
　７２　ＡＰＳ（加速操作量検出手段）
　７６　警告灯
【図１】
2004138077.tif 000003
【図２】
2004138077.tif 000004
【図３】
2004138077.tif 000005
【図４】
2004138077.tif 000006